(57)【要約】【課題】眼鏡の装用に合う状態で装用者に似合うカラーの決定を手軽に行える眼鏡レンズセット、テンプルレス眼鏡セット、あるいは眼鏡セットを提供する。【解決手段】本発明における顧客に調和するカラーを有する眼鏡レンズを選択するための眼鏡レンズセットにあって、複数の眼鏡レンズ（Ａ，Ｃ，Ｄ，Ｆ）がそれぞれ透光性を有するカラーにおいて着色されており、当該カラーの群には、色名「ピンク」，「紫」に属する、色相が黄み寄りであるイエローベースのカラー（Ａ，Ｃのカラー）と、色相が青み寄りであるブルーベースのカラー（Ｄ，Ｆのカラー）が、色名につき「ピンク」，「紫」という複数種類となる状態で含まれており、眼鏡レンズＡ，Ｃがイエローベースのカラーであって眼鏡レンズＤ，Ｆがブルーベースのカラーであることが識別可能となっている。又、このレンズセットを用いてテンプルレス眼鏡セットや眼鏡セットを形成する。【選択図】図２
2013231828.tif 000002
【特許請求の範囲】
【請求項１】
装用者に調和するカラーを有する眼鏡レンズを選択するための眼鏡レンズセットであって、
複数の眼鏡レンズがそれぞれ透光性を有するカラーにおいて着色されており、
当該カラーの群には、所定の色名に属する、色相が黄み寄りであるイエローベースのカラーと、色相が青み寄りであるブルーベースのカラーが、前記所定の色名を複数種類とする状態で含まれており、
これらの眼鏡レンズが、前記イエローベースのカラーを有するものであるか、あるいは前記ブルーベースのカラーを有するものであるかについて、識別可能とされている
ことを特徴とする眼鏡レンズセット。
【請求項２】
更に、前記カラーの群には、前記所定の色名の何れの種類とも異なる種類である特定の色名に属する、イエローベースのカラー又はブルーベースのカラーの何れか一方のカラーが含まれる
ことを特徴とする請求項１に記載の眼鏡レンズセット。
【請求項３】
装用者に調和するカラーを有する眼鏡を選択するためのテンプルレス眼鏡セットであって、
請求項１又は請求項２に記載の眼鏡レンズセットをそれぞれテンプルレス眼鏡フレームに入れて形成した
ことを特徴とするテンプルレス眼鏡セット。
【請求項４】
装用者に調和するカラーを有する眼鏡を選択するための眼鏡セットであって、
請求項１又は請求項２に記載の眼鏡レンズセットをそれぞれ眼鏡フレームに入れて形成した
ことを特徴とする眼鏡セット。
【発明の詳細な説明】
【技術分野】
【０００１】
本発明は、カラーが互いに相異する複数の眼鏡レンズのセット、並びにテンプルレス眼鏡セット及び眼鏡セットに関する。
【背景技術】
【０００２】
カラー眼鏡レンズ購入時、顧客は、店員や自らの好みによりカラーを決定しているが、客観的にその顧客に似合っているかは判り難く、実際には、その顧客に対するカラーとしては違和感のあるものを選択している場合が生じている。
他方、ファッションや化粧の分野において、個人個人の特徴に対し調和するカラーの選択に関し、パーソナルカラーという概念が提唱されている。例えば、下記特許文献１では、黄みと青みを段階的に呈色する複数色の色相色見本部材と、明暗を段階的に呈色する複数色の明度色見本部材と、清色と濁色を段階的に呈色する複数色の清濁色見本部材とからなるパーソナルカラー診断用具を用いて、個人に調和するパーソナルカラーを診断することが記載されている。
【先行技術文献】
【特許文献】
【０００３】
【特許文献１】特開２００７−２３２５７６号公報
【発明の概要】
【発明が解決しようとする課題】
【０００４】
パーソナルカラーの概念を、カラー眼鏡レンズ購入時におけるカラーの選択基準として用いることで、上述したような主観的にカラーを決定する実状に比較して、その顧客に似合うカラーを選択する可能性につき向上できることが予想される。
しかし、特許文献１のように、それぞれ複数の色見本部材をそれぞれ次々に適用してカラーを決定していくとなると、顧客にとって煩わしく、特に眼鏡レンズの場合には、フレーム形状（レンズ玉型形状）や度数の決定等の他の選択も必要であることから、煩わしさがひとしおである。
又、特許文献１では、単色に塗られた上半身大の布等のドレープを、色見本部材として次々に顔以外の上半身に当て、それぞれ顔色と比較することでパーソナルカラーを診断するところ、顔全体の観点は存在するが、レンズのかかる目元や、目元周辺部、あるいは目元以外の顔部分の色との比較という観点は存在しない。更に、特許文献１では、色彩の付与された透光性部材を通して観察するという観点も存在しない。
そこで、請求項１，３，４に記載の発明は、眼鏡の装用に合う状態で装用者に似合うカラーの決定を手軽に行える眼鏡レンズセット、テンプルレス眼鏡セット、あるいは眼鏡セットを提供することを目的としたものである。
【課題を解決するための手段】
【０００５】
上記目的を達成するために、請求項１に記載の発明は、装用者に調和するカラーを有する眼鏡レンズを選択するための眼鏡レンズセットであって、複数の眼鏡レンズがそれぞれ透光性を有するカラーにおいて着色されており、当該カラーの群には、所定の色名に属する、色相が黄み寄りであるイエローベースのカラーと、色相が青み寄りであるブルーベースのカラーが、前記所定の色名を複数種類とする状態で含まれており、これらの眼鏡レンズが、前記イエローベースのカラーを有するものであるか、あるいは前記ブルーベースのカラーを有するものであるかについて、識別可能とされていることを特徴とするものである。
請求項２に記載の発明は、上記発明において、更に、前記カラーの群には、前記所定の色名の何れの種類とも異なる種類である特定の色名に属する、イエローベースのカラー又はブルーベースのカラーの何れか一方のカラーが含まれることを特徴とするものである。
【０００６】
上記目的を達成するために、請求項３に記載の発明は、装用者に調和するカラーを有する眼鏡を選択するためのテンプルレス眼鏡セットであって、上記の眼鏡レンズセットをそれぞれテンプルレス眼鏡フレームに入れて形成したことを特徴とするものである。
上記目的を達成するために、請求項４に記載の発明は、装用者に調和するカラーを有する眼鏡を選択するための眼鏡セットであって、上記の眼鏡レンズセットをそれぞれ眼鏡フレームに入れて形成したことを特徴とするものである。
【発明の効果】
【０００７】
請求項１，３，４に記載の発明によれば、眼鏡の装用に合う状態で装用者に似合うカラーの決定を手軽に行える。
請求項２に記載の発明によれば、装用者に似合うカラーの決定に対応しながら、更に効率良くバリエーションを増やすことができる。
【図面の簡単な説明】
【０００８】
【図１】本発明に係るテンプルレス眼鏡セットにおけるテンプルレスフレームの（ａ）正面図，（ｂ）上面図である。
【図２】本発明の実施例における各眼鏡レンズの色度を示すグラフである。
【発明を実施するための形態】
【０００９】
以下、本発明に係る実施の形態の例につき説明する。なお、本発明の形態は、以下のものに限定されない。
【００１０】
本発明に係る眼鏡レンズセットは、イエローベースに属する複数のカラーを用いた眼鏡レンズと、ブルーベースに属する複数のカラーを用いた眼鏡レンズとを含む。
イエローベースとブルーベースは、黄みあるいは青みの度合のことであり、各色名に存在する（相対的な）もので、ある色名内において、比較する２色以上の診断カラーが、色相環上で黄み寄りに位置しているか、あるいは青み寄りに位置しているかにより決定され、黄み寄りであればイエローベースに属するカラーとなり、青み寄りであればブルーベースに属するカラーとなる。換言すれば、イエローベースのカラーは、黄みに寄っており、グループ（イエローベースのカラー群）として考えると、全体的にカラフルで暖かい感じのするものである。他方、ブルーベースのカラーは、青みに寄っており、グループ（ブルーベースのカラー群）として考えると、全体的に冷たく澄んだ感じのするものである。尚、「色名」とは、「ピンク」や「紫」等の一般的な色の名称のことであり、特殊な愛称を指すものではない。
例えば、比較的低彩度の赤色として、同じ色名「ピンク」ではあるものの、黄みを帯びたイエローベースのピンク（珊瑚色）や、青みを帯びたブルーベースのピンク（薄いライラック色）がある。又、色名「紫」の内には、イエローベースのもの（赤紫色）や、ブルーベース（青紫色）のものが含まれる。
【００１１】
眼鏡レンズセットにおける各眼鏡レンズは、前記イエローベースのカラーを有するものであるか、あるいは前記ブルーベースのカラーを有するものであるかについて、例えば次のようにして識別可能とされている。即ち、イエローベースのものに共通するマークを付与し、ブルーベースのものにはマークを付さず、あるいは当該マークと異なるマークを共通して付与する。あるいは、各カラーやこれを付した眼鏡レンズに係る、色見本・色名と同一色名内の識別記号の組・呼称（愛称）・商品名・型番・全体における識別記号の少なくとも何れかと、ベース名（イエローベース又はブルーベース）及び／又はこれらの何れかを示す記号等との組合せを記載した表等の説明書（解説書）を添付し、眼鏡レンズのカラー等の外観や様子からベース名が識別できるようにする。イエローベースのカラーであることについて「ハリ・ツヤ感」等の言葉をもって表し、及び／又はブルーベースのカラーについて「美白・透明感」等の言葉をもって表すこともできる。
【００１２】
各眼鏡レンズは、公知の着色法により各色を付して形成した眼鏡用のレンズであり、好ましくは、透明なプラスチック製の基材を、異なる調合に係る染色材により染色して形成した、眼鏡用のレンズである。尚、透明とは、透光性を有する意であり、半透明を含むものである。
眼鏡レンズの透過率は、着色により１００％はありえず、又眼鏡レンズとして視認可能に機能するため０％はありえずに所定値以上となるものの、どのようなものであっても良い。換言すれば、眼鏡レンズは、透光性を有する状態で着色されればどのようなものであっても良い。
眼鏡レンズの度数は、無くても良いし（サングラス用等）、付いていても良い。
各眼鏡レンズには、反射防止膜や撥液膜、帯電防止膜やハードコート等の公知の膜を形成しても良い。
着色範囲は、眼鏡レンズの全面であっても良いし、上半部のみ等のレンズの一部分であっても良い。
【００１３】
本発明に係る眼鏡レンズセットは、各色につき（単数又は複数の）丸レンズで用意しても良いし、各色につき（単数又は複数の）所定の玉型形状で用意しても良いし、各色につき（単数又は複数の）丸レンズ及び（単数又は複数の）玉型形状の双方を用意しても良いし、色ごとに異なる形状（の組合わせ）で用意しても良い。
又、本発明に係る眼鏡レンズセットは、同じカラーの２枚の眼鏡レンズをセットした所定のフレームを各色について用意する眼鏡セットとしても良い。尚、左右で異なる色の眼鏡レンズをセットしたフレームとし、顔の左半部と右半部とにおいて異なる色を同時に診断できるようにしても良い。この場合、同じ色名における異なるベースのカラーを左右に配置したり、同じベースにおける異なる色名のカラーを左右に配置することができる。又、最終確認等のため、同じカラーの左右レンズを持つ眼鏡を、併せて用意することができる。
更に、眼鏡セットにおいて、色ごとに異なるフレーム（各部分の色・テンプルの形状や長さや太さ等・鼻当て形状・装飾の有無等・玉型形状・リム形状・ブリッジ形状等）として良い。又、同じ色において複数のフレームを用意して良く、各色において同じフレームの組合せとしても良いし、色ごとに異なる（一部同一あるいは全て異なる）フレームの組合せとしても良い。
【００１４】
加えて、図１に示すようなテンプルレス眼鏡フレーム１（ツル無しフレーム）に、本発明に係る眼鏡レンズセットを入れることで、テンプルレス眼鏡セットを形成しても良い。テンプルレス眼鏡フレーム１では、テンプルや蝶番がなく、リム２，２やブリッジ３のみから形成されており、左右の智４の部分がそれぞれ（枠状に）広がっていて、手で持ち易いようになっている。
尚、テンプルレス眼鏡セットでは、眼鏡セットと同様の変更例を有する他、テンプルレスフレーム１の智４を通常形状としたり、智４の広がりを左右の何れか一方としたり、智４を折畳み可能としたり、鼻当てを追加したりする等の変更例を有する。
【００１５】
このような眼鏡レンズセット（テンプルレス眼鏡セット・眼鏡セット）を用いて、例えば次のように顧客に調和するパーソナルカラーを有する眼鏡（レンズ）を診断する。
イエローベースのカラーを有するレンズを、顧客の眼の周囲に当て、眼の周囲に透光性のある当該カラーを適用した際の顔の印象や全体の印象を適宜併せて見る。この場合に、眼の周囲に色みがのることで、眼の周囲の印象が変化し、更にその影響により顔や全体の印象も変化し、結果血色が良く見えて健康的に見え、肌にハリがでて艶やかに見えるようであれば、その顧客にはイエローベースのカラーが調和するものと診断され、イエローベースのカラー群から更にその顧客に合ったカラーの選択をする。逆に、イエローベースのカラーを眼やその周囲に適用すると、顔が黄黒く見えたり、肌がくすんで見えたり、顔の輪郭が膨張して見えたりする場合には、イエローベースのカラーは似合わないものと診断することができる。
他方、ブルーベースのカラーを有するレンズを、顧客の眼の周囲に当て、眼の周囲に透光性のある当該カラーを適用した際の顔の印象や全体の印象を適宜併せて見る。この場合に、眼の周囲の色みが引かれることで、眼の周囲はもちろん顔や全体の印象が変化し、結果色白に見え、透明感が出て、スッキリした印象になれば、その顧客にはブルーベースのカラーが調和するものと診断され、ブルーベースのカラー群から更にその顧客に合ったカラーの選択をする。逆に、ブルーベースのカラーを眼やその周囲に適用すると、血色が悪く不健康な感じとなり、あるいは寂しい印象を与えるようになるのであれば、ブルーベースのカラーは似合わないものと診断することができる。
尚、適宜同じ色名ではあるが異なるベースのものを併せて試すことができる。又、使い分けのために複数のカラーを診断する等の診断内容や、顧客の要望等に応じ、ある一部の、あるいは全てのカラーを試したりすることができる。更に、顧客の装用前の顔色や全体の印象等から最初にカラーの見当をつけて、そのカラーから診断を始めることができるし、ある一部の、あるいは全てのカラーを順次試して診断することもできる。
【実施例】
【００１６】
次いで、本発明の好適な実施例につき説明する。
当該実施例において、互いに異なるカラーで均一に染色した６個の眼鏡レンズのセットである。各眼鏡レンズの着色濃度は、何れも１０％程度である。
尚、全数を５個以下としたり、７個以上とすることができる。又、カラー・着色濃度・反射率・着色位置（例えばレンズ上半分のみ染色）・着色濃度分布（例えばレンズ上縁から下縁にかけて濃度が徐々に薄くなる染色）の少なくとも何れかが異なる眼鏡レンズ（群）を、更にセットに加えることができる。
【００１７】
図２は、ＣＩＥ１９７６色空間 (Ｌ＊ａ＊ｂ＊色空間）におけるａ＊ｂ＊座標（色度図，Ｌ＊は不問）において、実施例に係る６個の眼鏡レンズ（図２ではＡ〜Ｆ）の色度をそれぞれプロットしたものである。
各レンズの色度は、Ｄ６５光源を用いて、２度視野におけるものを測定した。尚、他の光源や他の角度値を用いても良い。
【００１８】
眼鏡レンズＡは、ａ＊値が大きい珊瑚色を呈しており、即ちピンクの色名中でイエローベースに属する黄みを帯びたカラーを呈している。尚、この呈色は、透光性を有する状態で行われており、以下同様である。
これに対し、眼鏡レンズＤは、ａ＊値が小さい薄ライラック色を呈しており、即ちピンクの色名中でブルーベースに属する青みを帯びたカラーを呈している。
このように、ピンクの色名においては、色相の黄みと青みが互いに異なる、イエローベースのＡと、ブルーベースのＤの一対（２枚）の眼鏡レンズが用意される。
【００１９】
眼鏡レンズＣは、ａ＊値が大きい赤紫色を呈しており、即ち紫の色名中でイエローベースのカラーを呈している。
これに対し、眼鏡レンズＦは、ａ＊値が小さい青紫色を呈しており、即ち紫の色名中でブルーベースのカラーを呈している。
このように、紫の色名においては、色相の黄みと青みが互いに異なる、イエローベースのＣと、ブルーベースのＦの一対（２枚）の眼鏡レンズが用意される。
【００２０】
眼鏡レンズＢは、ｂ＊値が大きい黄みがかった薄茶色（オレンジ色に近い）を呈しており、ブラウンの色名中でイエローベースのカラーを呈している。
色名「ブラウン」においては、黄みを呈したイエローベースカラーのレンズＢの１枚しか用意されない。
眼鏡レンズＥは、ａ＊値やｂ＊値が小さい青みがかった灰色を呈しており、グレーの色名中でブルーベースのカラーを呈している。
色名「グレー」においては、青みを呈したブルーベースカラーのレンズＥの１枚しか用意されない。
そして、眼鏡レンズＡ〜Ｃがイエローベースのカラーであり、眼鏡レンズＤ〜Ｆがブルーベースのカラーであることが、色見本（と愛称）とベース名（を表す言葉）の対照表により識別可能となっていて、眼鏡レンズセットＡ〜Ｆにおいて、カラーがイエローベースとブルーベースで分類され、何れかのベースに属するようにグループ化されている。
【００２１】
実施例の眼鏡レンズセットのイエローベースにおいて、ブルーベースにはない色名「ブラウン」のものを一部入れることで、セット内レンズの全数を少なくしながら、多くの種類のカラーを含ませることができ、パーソナルカラーに基づく調和カラーの選択に対応しながら、効率良く選択肢を増やすことができる。
同様に、ブルーベースにおいて、イエローベースにはない色名「グレー」のものを一部入れることで、セット内レンズの全数を少なくしながら、多くの種類のカラーを含ませることができ、パーソナルカラーに基づく調和カラーの選択に対応しながら、効率良く選択肢を増やすことができる。
そして、実施例においては、これら双方を行うことで、即ち、イエローベースにおいてブルーベースにはない色名に属するカラーを一部入れ、且つブルーベースにおいてイエローベースにはない色名に属するカラーを一部入れることで、セット内レンズの全数を少なくしながら、極めて多くの種類のカラーを含ませることができ、パーソナルカラーに基づく調和カラーの選択に対応しながら、効率良く選択肢を増やすことができる。
即ち、セット内の眼鏡レンズ数が６個の場合、用意する色名全てにおいてイエローベースとブルーベースの対を含むようにカラーを用意すると、色名において６／２＝３種類しか用意できないところ、実施例においては、色名「ピンク」に係る一対（Ａ，Ｄ）の計２個と、色名「紫」に係る一対（Ｃ，Ｆ）の計２個と、色名「ブラウン」に係るイエローベースのみの１個（Ｂ）と、色名「グレー」に係るブルーベースのみの１個（Ｅ）で、色名において合計４種の色名を用意することができ、同時にイエローベースに属するカラーのレンズを３個とすると共にブルーベースに属するカラーのレンズを３個として、パーソナルカラーの診断に合致したカラーレンズの選択に対応可能である。
【００２２】
このような眼鏡レンズセットや、これを用いて形成したテンプルレス眼鏡セットあるいは眼鏡セットを用いて、例えば上述した診断により、適宜テンプルレス眼鏡を智４の保持等により当てていき、顧客に調和するパーソナルカラーを有する眼鏡レンズを決定する。
【００２３】
本実施例では、顧客（カラーレンズ眼鏡の装用者）に調和するカラーを有する眼鏡レンズを選択するための眼鏡レンズセットにあって、複数の眼鏡レンズ（Ａ，Ｃ，Ｄ，Ｆ）がそれぞれ透光性を有するカラーにおいて着色されており、当該カラーの群には、色名「ピンク」に属する、色相が黄み寄りであるイエローベースのカラー（Ａのカラー）と、色相が青み寄りであるブルーベースのカラー（Ｄのカラー）、及び、色名「紫」に属する、色相が黄み寄りであるイエローベースのカラー（Ｃのカラー）と、色相が青み寄りであるブルーベースのカラー（Ｆのカラー）が、色名につき「ピンク」，「紫」という複数種類となる状態で含まれており、眼鏡レンズＡ，Ｃがイエローベースのカラーであって眼鏡レンズＤ，Ｆがブルーベースのカラーであることが識別可能となっているので、これらのセットに対応するカラーのレンズを有する眼鏡の商品群を購入する際、店員は、この眼鏡レンズセットを用いて、顧客に似合ったパーソナルカラーのレンズを見出すことができ、その商品群から、顧客に調和するカラーの商品を選択して提案することが可能となる。
そして、顧客は、自分に合ったパーソナルカラーの眼鏡を購入することで、自らの特徴に合わせて目元や顔ないし全体の雰囲気の美しさを向上可能なアイテムを手に入れることができ、店員や顧客自身の主観に捕われないカラーの選択を行うことができる。
又、セットに属する眼鏡レンズを眼（ないしその周囲）にかざすことができ、そのかざした状態でパーソナルカラーを診断可能として、眼（の周囲）と他の部分との兼ね合いを判断したり、透光性のあるカラーレンズ越しに眼（の周囲）を見て調和状態を判断したりすることができ、眼鏡の装用実態に応じた診断が可能となる。
【００２４】
更に、眼鏡レンズセットのカラーの群には、色名「ピンク」，「紫」の何れの種類とも異なる種類である色名「ブラウン」に属するイエローベースのカラー（Ｂのカラー）が含まれて、色名「ブラウン」に属するブルーベースのカラーは含まれていないし、色名「ピンク」，「紫」の何れの種類とも異なる種類である色名「グレー」に属するブルーベースのカラー（Ｅのカラー）が含まれて、色名「グレー」に属するイエローベースのカラーは含まれていないため、装用者に似合うカラーの決定に対応しながら、効率良くバリエーションを増やすことができる。
加えて、これらの眼鏡レンズセットをそれぞれ（テンプルレス）眼鏡フレームに入れることで、装用者に調和するカラーを有する眼鏡を選択するための（テンプルレス）眼鏡セットを形成すれば、実際の装用に沿うかたちで、より手軽に装用者に似合うカラーの診断を行うことができ、又特に眼鏡セットにあっては、カラー決定後に選択購入可能なカラーレンズ眼鏡の商品群を手間無く用意することができるし、特にテンプルレス眼鏡セットにあっては、その智４の持替え等により、顔や眼等に対する実際の眼鏡の装用に合致する状態でのカラーレンズの適用を（次々に）簡便に行うことができる。
【産業上の利用可能性】
【００２５】
本発明は、眼鏡店舗におけるカラーレンズ眼鏡提案時のパーソナルカラー診断に用いたり、眼鏡店舗における商品群として用いたり、ショーやコンサートで出演者が掛けるサングラスの出演者に似合うカラーの決定の際に用いたりする等、各種の用途において利用することができる。
【符号の説明】
【００２６】
１・・テンプルレス眼鏡フレーム、２・・リム、３・・ブリッジ、４・・智。
【図１】
2013231828.tif 000003
【図２】
2013231828.tif 000004